(57)【要約】【課題】接続作業を要せずに遊技盤と保持部材と本体部材とが電気的に接続されるようにした遊技機を提供する。【解決手段】遊技盤ユニット１０の下端部には導電性を有する接地板１３が取り付けられている。保持枠１１には電気的に導通された導電性を有する接地端子１４と接地板１５が設けられ、本体部材には導電性を有する接地端子１６が設けられている。遊技盤ユニット１０が保持枠１１の保持部１１ａにて保持されるとき、接地板１３と接地端子１４とが当接して電気的に導通し、保持部１１が本体部材３の組み込み空間部３ａに組み込まれるとき、接地板１５と接地端子１６とが当接して電気的に導通する。【選択図】        図５
2004358074.tif 000002
【特許請求の範囲】
【請求項１】
遊技領域を有する遊技盤と、前記遊技盤を保持する保持部材と、前記遊技盤及び前記保持部材を組み込む本体部材とを備えた遊技機であって、
前記遊技盤及び前記保持部材及び前記本体部材のそれぞれに導電性を有する導電部材を設け、
前記遊技盤が前記保持部材に保持されたときに、前記遊技盤の前記導電部材と前記保持部材の前記導電部材とが当接し、
前記保持部材が前記本体部材に組み込まれたときに、前記保持部材の前記導電部材と前記本体部材の前記導電部材とが当接することを特徴とする遊技機。
【請求項２】
前記保持部材は、前記本体部材に着脱可能に固定されることを特徴とする請求項１記載の遊技機。
【請求項３】
前記保持部材には、前記遊技盤の遊技領域を視認させる窓部を備えた扉部材が組み付けられることを特徴とする請求項１または請求項２記載の遊技機。
【請求項４】
前記遊技盤に設けられた前記導電部材は、前記遊技盤に対し設けられた、遊技媒体と接触して流通させる接触部材と電気的に導通することを特徴とする請求項１〜３のいずれか１つに記載の遊技機。
【発明の詳細な説明】
【０００１】
【発明の属する技術分野】
本発明は、パチンコ店等の遊技場に設置して使用される弾球遊技機等の遊技機に関するものである。
【０００２】
【従来の技術】
遊技場に設置される弾球遊技機としてパチンコ機などの弾球遊技機が挙げられる。このパチンコ機には、遊技機を構成する基体となる本体部材内に、遊技領域が設けられた遊技盤が配設されており、その遊技領域を視認させる窓部を備えた扉部材が遊技盤の前方において開閉自在に設けられている。また、本体部材内には遊技中に作動される各種駆動装置（電子機器）を遊技状態に応じて作動制御する制御回路装置なども配設されている。このようなパチンコ機は、遊技場に設置されている状態で、且つ扉部材が閉じられてロック状態となっているときには、何人も本体部材の内部に配設された遊技盤や電子機器や制御回路装置等には触れることができないようになっている。
【０００３】
このようなパチンコ機では、新たな遊技機（同機種及び異機種を含む）に交換する場合、古い遊技機から新たな遊技機へと遊技機を構成する総部品ごと全て入れ替えるのが一般的である。しかし、遊技機として構成する部品の中には、複数の遊技機に渉って共通化可能な部品を汎用的に用いることができるため、交換しなくて済む部品まで一括して交換することとなれば、結果的にコストアップ及び廃棄問題からくる環境破壊の原因となる。このため、共通化可能な部品をできるだけ遊技場またはリサイクル工場などにて据え置きにし、新たに変更となる部品を対象に入れ替えることが現在検討されている。この場合、例えば、交換すべき部品となる液晶（ＬＣＤ）パネルユニットと制御回路装置などが組み付けられ、且つ球通路部を有する遊技盤取付部材と遊技盤を一体的に保持するようにした遊技盤ユニットを交換対象とし、基本動作（遊技媒体を流下させるための打ち出しや入賞時における払い出し）を行うこととする制御回路装置および電子機器（スピーカやランプ等の演出装置）など据え置くべき部品を組み込んだ本体部材を据え置き対象とし、例示した構成からなる遊技盤ユニットを本体部材から着脱自在に交換できるようにすることで、新たな遊技機に交換することができることとなる。
【０００４】
【発明が解決しようとする課題】
しかしながら、上記のようなパチンコ機の場合、遊技の際に遊技媒体が流下するときに遊技盤の遊技領域に設けられた複数の釘等との摩擦や、遊技盤に設けられた所定装置が作動することなどによって生じる静電気を前述した遊技盤ユニット外に導くために、導電性を有する導電コードの１方側を本体部材内に設けた接地部に接続し、他方側を遊技盤ユニットの遊技盤または球通路部などに設けられた導電部にネジ等の固定部材を用いて固着する必要があった。したがって、遊技盤ユニットを本体部材に着脱する毎にネジ等の固定部材を用いて導電コードを遊技盤の導電部に接続し直さなければならず、さらに、遊技盤ユニットを取り付けた本体部材の内部における導電コードの配線処理を施さなければならないため、作業上の手間が掛かっていた。
【０００５】
本発明は、上記従来記述の問題を解決するためになされたものであり、保持部材が遊技盤を保持し、保持部材が本体部材に組み込まれたときに、接続作業を要せずに遊技盤と保持部材と本体部材とが電気的に接続されるようにした遊技機を提供することを目的とする。
【０００６】
【課題を解決するための手段】
上記目的を達成するために、本発明の遊技機は、遊技領域を有する遊技盤と、前記遊技盤を保持する保持部材と、前記遊技盤及び前記保持部材を組み込む本体部材とを備えたものであって、前記遊技盤及び前記保持部材及び前記本体部材のそれぞれに導電性を有する導電部材を設け、前記遊技盤が前記保持部材に保持されたときに、前記遊技盤の前記導電部材と前記保持部材の前記導電部材とが当接し、前記保持部材が前記本体部材に組み込まれたときに、前記保持部材の前記導電部材と前記本体部材の前記導電部材とが当接することを特徴とするものである。したがって、前記遊技盤及び前記保持部材および前記本体部材に渉って電気的に導通状態とすることができる。
【０００７】
また、前記保持部材は、前記本体部材に着脱可能に固定されることが好適である。
【０００８】
また、前記保持部材には、前記遊技盤の遊技領域を視認させる窓部を備えた扉部材が組み付けられることが好適である。
【０００９】
また、前記遊技盤に設けられた前記導電部材は、前記遊技盤に対し設けられた、遊技媒体と接触して流通させる接触部材と電気的に導通することが好適である。なお、接触部材とは、例えば、遊技領域に設けられた釘やガイドレール、遊技媒体を流通させる通路部材、遊技媒体貯留部材などである。
【００１０】
【発明の実施の形態】
図１に本発明を用いたパチンコ機の外観を示す。パチンコ機２は、基体となる本体部材３に、遊技の際に遊技媒体であるパチンコ球が流下する遊技領域４ａ（図２に図示）が設けられた遊技盤４が配設された構成となっている。遊技盤４に設けられた遊技領域４ａの前方には、遊技者に遊技領域４ａを視認させる開口（窓部）５ａを有する前面扉（扉部材）５が回動可能に設けられ、開口５ａは前面扉５の裏側に設けられたガラス板６によって塞がれている。この前面扉５は、遊技領域４ａの前方に位置する閉じ位置（図１参照）と、前記遊技領域４を露呈する開き位置（図２参照）との間で回動する。この前面扉５を閉じ位置に回動させると、図示しないロック機構により前面扉５が閉じ位置に保持される。なお、前面扉５が閉じ位置にロックされて保持された場合には、遊技者や遊技場の作業者は、ガラス板６を介して遊技領域４ａや、遊技領域４ａ上を流下するパチンコ球を視認することはできるが、本体部材３の内部に設けられた部品または装置に接触できないようになっている。
【００１１】
本体部材３は、パチンコ機２の基体となる部品であるとともに、パチンコ店等の遊技場に据え置きとし得る部品である。この本体部材３には、図示はしないが、例えば、パチンコ球の払い出しを行う払い出し装置や、遊技中の演出を行うランプやスピーカを含む発光装置や音声装置等のパチンコ機２の基本動作を行う装置及び制御回路装置が組み込まれる。この本体部材３には、パチンコ球の供給や、後述する遊技領域４ａに設けられた入賞口に入賞した場合に払い出されるパチンコ球を受ける受け皿７が設けられ、この受け皿７の下方には、パチンコ球の打ち出し強さを調節する回動式の操作ハンドル９が設けられている。なお、遊技者が受け皿７にパチンコ球を供給すると、受け皿７の内部に設けられた通路７ａによってパチンコ球は発射装置８へと誘導される。そして、操作ハンドル９を回動操作することによって、発射装置８が作動し、遊技領域４ａの上方に向けてパチンコ球が打ち出される。なお、本体部材３は、遊技場の配設箇所に固定するための枠部材を含む構成としてもよいし、含まない構成としてもよいものとする。
【００１２】
図２に示すように、遊技盤４を含む遊技盤ユニット１０を保持する保持部１１ａを備えた保持枠（保持部材）１１は、本体部材３の組み込み空間部３ａに対して着脱自在となっており、遊技盤ユニット１０は、保持部１１ａに対して着脱自在となっている。また、前面扉５は着脱可能に保持枠１１に軸支されるように組み付けられており、保持枠１１とともに本体部材３から分離することができるようになっている。また、前面側から見た保持枠１１の右側部の上下には、開口１１ｂ、１１ｃが貫通状態となるように設けられており、保持枠１１を組み込み空間部３ａに組み込む際には、本体部材３に形成された組み込み空間部３ａの、前面側から見た右側部の上下に設けられた操作つまみ３ｂ、３ｃが開口１１ｂ、１１ｃに挿通される。なお、前面扉５は、詳細は図示しないが、前面側から見た左側端部の上下に回動軸が設けられ、この回動軸を保持枠１１の軸受けとなる孔部に挿通させることで、前面扉５が開き位置と閉じ位置との間で回動する。
【００１３】
遊技盤４の下端部には導電性を有する金属板である接地板（導電部材）１３が取り付けある。接地板１３は、遊技盤４に設けられた導電性を有する面板１７上に設けられた遊技領域４ａを囲むように接続して形成された導電性を有する金属であるガイドレール（接触部材）１２と当接して電気的に導通するようになっている。そして、保持部１１ａの下部には、遊技盤ユニット１０が保持部１１ａに取り付けられたときに、配設された接地板１３に当接するように、導電性を有する金属である接地端子（導電部材）１４が埋設されている。なお、ガイドレール１２における、前面から見た左側部は発射装置８から打ち出されたパチンコ球を遊技領域４ａへと誘導する機能を備えた構成となっている。
【００１４】
保持枠１１の下端部には、接地端子１４と電気的に導通している、導電性を有する金属板である接地板（導電部材）１５が取り付けてある。そして、本体部材３の組み込み空間部３ａの下部には、保持枠１１が組み込み空間部３ａに組み込まれたときに、配設された接地板１５に当接するように、導電性を有する金属である接地端子（導電部材）１６がアースと導通されて埋設されている。
【００１５】
遊技盤ユニット１０は、図３に示すように、遊技盤４と、遊技領域４ａが設けられた遊技盤４の前面とは反対側となる背面に一体となるように取り付けられている支持部材２０と、支持部材２０によって支持された制御回路装置（図示省略）などから構成されている。なお、遊技盤ユニット１０を保持部１１ａに着脱可能に取り付ける方法については図示はしないが、例えばねじ止め、または嵌合部に基づく嵌着などによって保持部１１ａに取り付けるなど、パチンコ機２の構成等を考慮して、適宜の方法にて遊技盤ユニット１０を保持部１１ａに保持可能なように取り付けるようにすれば良い。
【００１６】
遊技盤４上にはガイドレール１２の他に、始動入賞口２１、通常入賞口２２、アタッカ２３等の所定入賞口、及びアウト口２４が配設されている。また、遊技領域４ａには、釘２７（図５に図示）や、図示を省略した風車などが設けられている。これらの構造物は公知であるので説明は省略する。また、遊技領域４ａの略中央にはパチンコ球を一時的に滞在させるステージを有するセンター役物２５が組み付けられ、そのほぼ中央に所定入賞に基づいて行う当否抽選の結果を表示する図柄表示装置２６の表示部が露呈される。
【００１７】
支持部材２０の遊技盤４側には複数のリブ２０ａが設けられ、これらリブ２０ａによって、各入賞口またはアウト口２４に入ったパチンコ球を所定の受け部（貯留部）へと誘導するための球通路２０ｂが構成されるようになっている。
【００１８】
保持枠１１が本体部材３の組み込み空間部３ａに組み込まれる際に保持枠１１が組み込み空間部３ａに装着される態様を図４に示す。組み込み空間部３ａに設けられた操作つまみ３ｂ、３ｃは回転可能に軸支された構成でどちらも同様に回転自在となっており、また、開口１１ｂ、１１ｃは、操作つまみ３ｂ、３ｃが挿通可能に穿設された構成となっている。図４では操作つまみ３ｂについてのみ示す。保持枠１１を組み込み空間部３ａに組み込むと、操作つまみ３ｂを図中２点鎖線で示す回転位置にすることで、操作つまみ３ｂが保持枠１１に設けられた開口１１ｂに回転可能となる位置まで挿通される。そして、保持枠１１が組み込み空間部３ａに組み込まれたとき、操作つまみ３ｂを図中実線で示した回転位置に回転させることで、開口１１ｂの長手方向と操作つまみ３ｂの長手方向とが直行する。操作つまみ３ｃの長手方向と開口１１ｃの長手方向とを同様に直交させることで、保持枠１１は組み込み空間部３ａに着脱可能に固定される。
【００１９】
図５に、遊技盤ユニット１０が保持枠１１の保持部１１ａにて保持され、さらに遊技盤ユニット１０を保持した保持枠１１が本体部材３の組み込み空間部３ａに組み込まれている場合の側方断面図を示す。接地端子１４は接地端子１５と同通している導電性を有する金属からなるバネ（弾性部材）３０に基づいて鉛直上方向に付勢されており、接地板１３によって押し付けられるようになっている。また、接地端子１４は、遊技盤ユニット１０が保持部１１ａから外されているときには、係止突起１１ｄに係止されることによって上方に飛び出す部分が制限され、これにより接地端子１４の上部が保持部１１ａの内側に向けて突出するようになっている。さらに、接地端子１４の上部は曲面となっており、遊技盤ユニット１０を保持部１１ａに取り付ける際の接地板１３と接地端子１４との接合における抵抗となることを減少させるようになっている。バネ３０は、接地端子１４と、接地板１５とに当接して、接地端子１４と接地板１５とを電気的に導通している。なお、バネ３０は、導電性を有する弾性部材であれば良く、その材質は金属でなくとも良い。
【００２０】
接地端子１６は導電板３２と導通している導電性を有する金属からなるバネ（弾性部材）３１に基づいて鉛直上方向に付勢されており、接地板１５によって押し付けられるようになっている。また、接地端子１６は、保持枠１１が組み込み空間部３ａから外されているときには、係止突起３ｄに係止されることによって上方に飛び出す部分が制限され、これにより接地端子１６の上部が組み込み空間部３ａの内側に向けて突出するようになっている。さらに、接地端子１６の上部は曲面となっており、保持枠１１を組み込み空間部３ａに組み込む際の接地板１５と接地端子１６との接合における抵抗となることを減少させるようになっている。バネ３１は、接地端子１６と、本体部材３内に設けられたアースとなる接地部（図示せず）と電気的に導通された導電板３２とに当接して、接地端子１６を接地状態としている。なお、バネ３１は、導電性を有する弾性部材であれば良く、その材質は金属でなくとも良い。
【００２１】
このようにして形成されたパチンコ機２の作用について説明する。例えば、遊技性の異なる新たなパチンコ機にする際に入れ替える場合などであって、保持枠１１を組み込み空間部３ａから外しているときには、接地端子１６は、バネ３１に基づいて付勢されるとともに係止突起３ｄに係止されることによって、曲面となっている上部分の一部を組み込み空間部３ａの内側に向けて突出させている。そして、保持枠１１を組み込み空間部３ａに組み込むと、保持枠１１の下端に設けられた接地板１５は、接地端子１６と当接してバネ３１の付勢に抗して接地端子１６を押し下げる。また、遊技盤ユニット１０を保持部１１ａから外しているときには、接地端子１４は、バネ３０に基づいて付勢されるとともに係止突起１１ｄに係止されることによって、曲面となっている上部分の一部を保持部１１ａの内側に向けて突出させている。そして、遊技盤ユニット１０を保持部１１ａに取り付けると、遊技盤ユニット１０の下端に設けられた接地板１３は、接地端子１４と当接してバネ３０の付勢に抗して接地端子１４を押し下げる。接地端子１６及びバネ３１及び導電板３２は本体部材３内に設けられたアースとなる接地部と電気的に導通しており、且つ、接地端子１４及びバネ３０及び接地板１５も電気的に導通しているので、遊技盤ユニット１０を保持している保持枠１１を組み込み空間部３ａに組み込むと、別途のアースをするための接続作業を必要とせずに、導電性の面板１７上の遊技領域に設けられた複数の金属製の釘２７及びガイドレール１２は接地状態となる。これにより、遊技盤４にて生じた静電気はガイドレール１２を介して遊技盤ユニット１０外へ導かれることとなる。
【００２２】
なお、上記実施形態では、接地板１３、１５及び接地端子１４、１６を導電性を有する金属としたが、これらは導電性を有していれば、例えば導電性プラスチックなど、適宜の材質とすれば良い。
【００２３】
上記実施形態では、接地板１３を遊技盤ユニット１０の下端部に取り付けて、接地端子１４を接地板１３と対向する保持部３ａの下部に埋設したが、接地板を遊技盤ユニット１０の側端部に取り付けて、接地端子を接地板と対向する保持部３ａの側部に埋設するといったように、接地板及び接地端子の位置は、お互いに当接するようになっていれば、適宜の位置に設けて良い。また、接地板１５及び接地端子１６も同様に適宜の位置に設けて良い。
【００２４】
上記実施形態では、遊技盤ユニット１０及び保持枠１１に接地板１３、１５を設け、保持部１１ａ及び組み込み空間部３ａに接地端子１４、１６を設けたが、遊技盤ユニット１０及び保持枠１１及び本体部材３のそれぞれに設ける導電部材の形態は、上記のものに限られず、遊技盤ユニット１０及び保持枠１１及び本体部材３が電気的に導通されるものであれば、適宜の形態を用いて良い。
【００２５】
上記実施形態では、接地板１３、１５と当接する方向に接地端子１４、１６をコイル状のバネによって付勢していたが、接地板１３、１５と当接する方向に接地端子１４、１６を付勢する方法はこれに限らず、接地端子１４、１６を接地板１３、１５に押し付けるようになっていれば、ゴムまたは板状のバネなどの弾性部材の弾性力を用いた構成にするなど、適宜の構成を用いて良い。
【００２６】
上記実施形態では、接地板１３は、遊技盤４上に導電性を有するシートまたは板を貼付するとともに、導電性を有するガイドレールなどと電気的に導通するようにしていたが、接地板１３が電気的に導通するものはこれに限られず、例えば、パチンコ球を所定の受け部へと誘導するための球通路部２０ｂを含む支持部材２０に導電部材を設け、この導電部材と接地板１３が電気的に導通するようにしても良い。
【００２７】
なお、遊技盤４と保持枠１１と本体部材３が電気的に導通していることを所定の装置にて監視することによって、遊技盤４や本体部材３の着脱状態を監視することができる。
【００２８】
【発明の効果】
以上のように、本発明の弾球遊技機によれば、遊技盤及び保持枠及び本体部材のそれぞれをアース接続する煩わしい接続作業を要せずに、保持部材に遊技盤を保持させて、保持部材を本体部材に組み込むことで電気的に導通するようにした遊技機を提供することができる。
【００２９】
また、保持部材は、本体部材に着脱可能に固定されるので、保持部材を機種交換の際の交換対象とすることができ、コストを抑えた機種交換を行うことができる。
【００３０】
また、保持部材には、遊技盤の遊技領域を視認させる窓部を備えた扉部材が組み付けられるので、機種交換のために保持部材を交換する際に、保持部材と一緒に扉部材を交換することができるので、新しい機種のイメージを遊技者に与えることができる。
【００３１】
また、遊技盤に設けられた導電部材は、遊技盤上に設けられた、遊技媒体と接触して遊技媒体を流通させる接触部材と電気的に導通しているので、遊技盤に設けられる所定部材に帯電した電荷を遊技機外に導くことができる。
【図面の簡単な説明】
【図１】本発明を実施したパチンコ機の外観を示す斜視図である。
【図２】遊技盤ユニットと保持枠と本体部材とを示す斜視図である。
【図３】遊技盤と支持部材とを示す斜視図である。
【図４】本体部材に組み込まれた保持枠が固定される態様を示す斜視図である。
【図５】接地板と接地端子の当接状態を示す説明図である。
【符号の説明】
２  パチンコ機
３  本体部材
３ａ  組み込み空間部
４  遊技盤
５  前面扉（扉部材）
５ａ  開口（窓部）
１０  遊技盤ユニット
１１  保持部材
１１ａ  保持部
１２  ガイドレール（接触部材）
１３、１５  接地板（導体部材）
１４、１６  接地端子（導体部材）
【図１】
2004358074.tif 000003
【図２】
2004358074.tif 000004
【図３】
2004358074.tif 000005
【図４】
2004358074.tif 000006
【図５】
2004358074.tif 000007